(57)【特許請求の範囲】
【請求項１】
コンクリート表面に形成した凹部の底面から突出する杭頭と、
前記コンクリート表面および前記凹部の底面に敷設された防水シートと、
前記杭頭に装着される防水部材とを備え、
前記防水部材は、前記杭頭の外周面を覆う筒部と、前記筒部と一体で前記筒部の下端から側方に向かって張り出す鍔部とを有しており、
前記鍔部が、前記防水シートに重ねられており、
前記防水部材は、前記杭頭の外周面および前記凹部の前記防水シートの表面に接着剤を介して貼り付けられている
ことを特徴とする杭周りシート防水構造。
【請求項２】
前記筒部は、帯状材を円筒状に巻いて形成され、
前記鍔部は、前記帯状材の下部を径方向外側に折り曲げて形成されている
ことを特徴とする請求項１に記載の杭周りシート防水構造。
【発明の詳細な説明】
【技術分野】
【０００１】
本発明は、杭周りシート防水構造に関する。
【背景技術】
【０００２】
地下水位以下に地下構造物を構築する場合、地下躯体の下部に防水シートを敷設して、地盤と躯体を区画する場合がある（例えば、特許文献１参照）。ところで、杭が打ち込まれた場所では、図５に示すように、杭１００が防水シート１１０を貫通するため、貫通して露出した杭頭１０１を別途止水する必要がある。杭頭１０１の周囲においては、防水シート１１０が杭頭１０１の外周形状に沿って例えば円形に形成された貫通部１１１が形成されている。杭頭１０１は、貫通部１１１から上方に突出しており、その外周面に短冊状の防水シート１２０が現場合せで多数貼り付けられている。短冊状防水シート１２０は、貫通部１１１の周縁部上に折り曲げられて貼り付けられている。隣り合う短冊状防水シート１２０同士は端部が重ね合わされており、その重合部や短冊状防水シート１２０の周縁端部は、ポリマーセメントなどで接着されている。
【先行技術文献】
【特許文献】
【０００３】
【特許文献１】特開平９−１１１７７６号公報
【発明の概要】
【発明が解決しようとする課題】
【０００４】
前記のような防水構造では、多数の短冊状防水シート１２０を現場で貼り合わせる必要があるので、貼付け作業に多くの手間を要する上に、短冊状防水シート１２０の継目が多く、防水性にも改善の余地があった。
【０００５】
このような観点から、本発明は、施工が容易で防水性の高い杭周りシート防水構造を提供することを課題とする。
【課題を解決するための手段】
【０００６】
このような課題を解決するための請求項１に係る発明は、コンクリート表面に形成した凹部の底面から突出する杭頭と、前記コンクリート表面および前記凹部の底面に敷設された防水シートと、前記杭頭に装着される防水部材とを備え、前記防水部材は、前記杭頭の外周面を覆う筒部と、前記筒部と一体で前記筒部の下端から側方に向かって張り出す鍔部とを有しており、前記鍔部が、前記防水シートに重ねられており、前記防水部材は、前記杭頭の外周面および前記凹部の前記防水シートの表面に接着剤を介して貼り付けられていることを特徴とする杭周りシート防水構造である。
【０００７】
このような構成によれば、杭頭の周囲に凹部が形成されているので、杭頭と防水部材との重ね長さを確保でき、防水性を高めることができる。また、筒部と鍔部とを備えて予め形成された防水部材を貼り付けているので、防水部材の設置が容易である。さらに、防水部材の連続性で防水性を確保しているので、杭頭の変形、回転時においても、防水性を維持できる。また、防水部材が、杭頭の外周面および凹部の防水シートの表面に接着剤を介して貼り付けられているので、防水性をより一層高めることができる。
【０００８】
請求項２に係る発明は、前記筒部が、帯状材を円筒状に巻いて形成され、前記鍔部は、前記帯状材の下部を径方向外側に折り曲げて形成されていることを特徴とする。
【０００９】
このような構成によれば、筒部のラップ部分は１箇所で済むので防水性をより一層高めることができる。また、鍔部の形成も容易で十分な防水性を確保できる。
【発明の効果】
【００１２】
本発明に係る杭周りシート防水構造によれば、防水部材の設置施工が容易で、且つ防水性を高めることができる。
【図面の簡単な説明】
【００１３】
【図１】本発明の実施形態に係る杭周りシート防水構造を示した斜視図である。
【図２】本発明の実施形態に係る杭周りシート防水構造を示した図であって、（ａ）は平面図、（ｂ）は断面図である。
【図３】本発明の実施形態に係る杭周りシート防水構造の防水部材を示した図であって、（ａ）は第一の形成過程を示した斜視図、（ｂ）は第二の形成過程を示した分解斜視図である。
【図４】防水部材の他の形態を示した斜視図である。
【図５】従来の杭周りシート防水構造を示した図であって、（ａ）は平面図、（ｂ）は断面図である。
【発明を実施するための形態】
【００１４】
以下、本発明の実施形態に係る杭周りシート防水構造について、添付した図面を参照しながら説明する。なお、図中、防水部材は、区別しやすくするために厚さ寸法を大きくして描いている。本実施形態に係る杭周りシート防水構造Ｓは、地下水位以下に地下構造物を構築する場合などに適用される。このような場合には、基礎地盤面から地下水が浸出するため、図１に示すように、基礎地盤２上に構築された均しコンクリート層３の上に防水シート１０が敷設されている。そして、防水シート１０上には所定厚さの保護モルタル層４が構築されている。杭１５が打ち込まれた場所では、均しコンクリート層３および防水シート１０に貫通部１１（図２の（ｂ）参照）が形成されており、杭１５が貫通部１１を貫通して、杭頭１６が防水シート１０の上部に突出している。貫通部１１は、杭頭１６の外周形状に沿って、例えば円形に形成された孔にて構成されている。
【００１５】
杭周りシート防水構造Ｓは、均しコンクリート層３の表面（コンクリート表面）に形成した凹部２０の底面２１から突出する杭頭１６と、均しコンクリート層３の表面および凹部２０の底面に敷設された防水シート１０と、杭頭１６に装着される防水部材３０とを備えている。
【００１６】
図１および図２に示すように、凹部２０は、杭頭１６の突出高さ寸法を長くするために形成されたものである。凹部２０は、杭頭１６を囲むように形成されている。凹部２０は、平面視で正方形を呈しており、その四隅部は円弧状に面取りされている（図２の（ａ）参照）。凹部２０の周縁部は、杭頭１６に近づくに連れて深くなるように傾斜しており（図２の（ｂ）参照）、防水シート１０が凹部２０の表面に円滑に敷設できるようになっている。凹部２０の底面２１は、均しコンクリート層３の表面と平行に構築されている。なお、凹部２０の平面形状は正方形に限定されるものではなく、円形など他の形状であってもよい。凹部２０は、例えば、１０ｃｍ程度の深さに形成されており、杭頭１６の突出高さが２０ｃｍ程度確保できるようになっている。これによって、杭頭１６と防水部材３０との重ね継手長さが確保される。
【００１７】
防水部材３０は、杭頭１６の外周面１７を覆う筒部３１と、この筒部３１と一体で筒部３１の下端から側方に向かって張り出す鍔部３２とを有しており、ハット形状を呈している（図１参照）。本実施形態では、筒部３１は、杭頭１６の外周形状に沿って、円筒状に形成されている。鍔部３２は、環状に形成され、凹部２０の底面２１の防水シート１０に重ねられている。筒部３１は、杭頭１６の外周面に接着剤を介して貼り付けられている。鍔部３２は、凹部２０の底面２１に敷設された防水シート１０の表面に接着剤を介して貼り付けられている。防水部材３０は、シート状の防水材を工場などで適宜加工して予め成形されており、施工現場では、杭頭１６に巻き付けられて接着されるだけである。
【００１８】
防水部材３０の筒部３１は、帯状材（シート状の防水材）３３を円筒状に巻いて形成され、鍔部３２は、帯状材３３の下部を径方向外側に折り曲げて形成されている（図３参照）。防水部材３０は、例えば、合成ゴム系、合成樹脂系、アスファルト系など公知の材料で形成されている。
【００１９】
次に、防水部材３０の形成工程を説明する。防水部材３０を形成するに際しては、図３の（ａ）に示すように、工場や作業場などにおいて、杭頭１６との外周形状と同形の型３４を形成する。帯状材３３の下部には、所定ピッチで切込み３５を形成しておく。切込み３５は、鍔部３２の幅寸法（径方向長さ）と同じ長さで形成する。切込み３５が形成されない上部が筒部３１を構成する。型３４を平らな面に載置して、その外周面に帯状材３３を巻きつける。
【００２０】
このとき、帯状材３３の下部は、図３の（ｂ）に示すように、径方向外側に折り曲げる。帯状材３３の両端部は、所定長さでラップさせる。ラップした部分は、接着テープなどで仮固定する。ここで、帯状材３３の下部を径方向外側に折り曲げると、切込み３５が開く。切込み３５が開いた部分には複数の隙間が発生するので、これらの隙間を覆うように、複数の増貼り片３６をそれぞれ敷設する。増貼り片３６は、鍔部３２の先端位置から筒部３１の高さ方向略中間部に延びる長さを有したシート状の防水材にてなる。増貼り片３６は、隙間の外周端の寸法より長い幅を有して、長方形形状を呈している。増貼り片３６は、断面Ｌ字に折り曲げられた状態で、帯状材３３の下部（鍔部３２となる部分）および筒部３１の外周面に接着剤または熱溶着によって固定される。このように形成された防水部材３０の鍔部３２は、外周が多角形状になる。なお、増貼り片３６の形状は四角形に限定されるものではなく、例えば、鍔部３２の外周が円形になるように、鍔部３２の先端側の一辺を円弧状に形成してもよい。以上の工程によって、現場の杭頭１６の形状に対応したハット形状の防水部材３０が形成される。
【００２１】
このように形成された防水部材３０は、適宜折り畳まれて、施工現場に搬送される。施工現場においては、杭頭１６の周囲に防水シート１０を先に敷設しておく。防水部材３０は、筒部３１が開いた状態（帯状材３３の両端部が接着されていない状態）で持ち込み、杭頭１６を囲うようにその外周面に巻き付ける。そして、帯状材３３の両端部を所定長さでラップさせる。ここで、鍔部３２は、凹部２０の底面２１上の防水シート１０上に広げて重ね合わせる。そして、筒部３１のラップした部分を、接着剤または熱溶着によって固定する。これと同時に、筒部３１を杭頭１６の外周面にポリマーセメントなどの接着剤を介して貼り付ける。また、鍔部３２を凹部２０の防水シート１０の表面にポリマーセメントなどの接着剤を介して貼り付ける。以上の工程によって、防水部材３０が杭頭１６に設置される（図１および図２参照）。
【００２２】
以上のような構成の杭周りシート防水構造Ｓによれば、杭頭１６の周囲に凹部２０が形成されているので、杭頭１６の突出長さ寸法を長くすることができる。これによって、杭頭１６と防水部材３０との重ね継手長さを確保でき、防水性を高められる。また、地下構造物の躯体よりも下方で継手処理ができるため、構造体ではない防水シート１０が躯体内に挟み込まれるのを回避できる。これによって、躯体の鉄筋かぶり厚を確保できる。
【００２３】
また、筒部と鍔部とを備えて予め形成された防水部材３０を貼り付けているので、杭頭１６および防水シート１０への防水部材３０の設置が容易である。さらに、防水部材３０は、帯状材３３の連続性で防水性を確保しているので、杭頭１６の変形、回転時においても、防水部材３０にクラックや隙間が発生せず、防水性を維持することができる。また、防水部材３０は、杭頭１６の外周面および凹部２０の防水シート１０の表面に接着剤を介して貼り付けられているので、防水性をより一層高めることができる。
【００２４】
さらには、筒部３１が、帯状材３３を円筒状に巻いて形成され、鍔部３２は、帯状材３３の下部を径方向外側に折り曲げて形成されていることによって、筒部３１のラップ部分は１箇所で済むので、接着は一箇所のみでよく、防水性をより一層高めることができるとともに、施工も容易である。また、鍔部３２においても、切込み３５が広がって発生した隙間に増貼り片３６を貼り付けることで十分な防水性を確保できる。特に、増貼り片３６は筒部３１の外周面まで立ち上がっているので、切込み３５の付根部分（鍔部３２の内周側）も確実に覆うことができる。増貼り片３６の貼り付けは、施工現場に搬入する前に工場などで行うので、加工精度が高く防水性を確保できるとともに、作業を効率よく行うことができる。
【００２５】
また、帯状材３３を型３４に合わせて事前に防水部材３０を形成するので、事前水密試験の実施も可能である。さらに、帯状材３３は、色々な形状の外周面に追従可能であるので、断面円形の杭頭１６のみならず、種々の断面形状の杭頭に対応することができる。鍔部３２では増貼り片３６の大きさを変更することで、種々の形状および大きさの隙間に対応できる。
【００２６】
以上のように、本実施形態に係る杭周りシート防水構造Ｓによれば、防水部材３０を容易に設置できるとともに、防水性を高めることができる。
【００２７】
以上、本発明を実施するための形態について説明したが、本発明は前記実施形態に限定されるものではなく、本発明の趣旨を逸脱しない範囲で適宜変更が可能である。例えば、前記実施形態に杭周りシート防水構造Ｓでは、防水部材３０は、一枚の帯状材３３を主に用いて形成されているが、これに限定されるものではない。例えば、二枚の帯状材を用いて防水部材を半分に分割して形成し、二分割された部材で杭頭を両側から挟み込んで防水部材を設置してもよい。この場合、ラップ部分は二箇所になるが、十分な防水性を確保することはできる。
【００２８】
また、前記実施形態では、帯状材３３の下部に切込み３５を形成して外側に折り曲げ、隙間に増貼り片３６を貼り付けることで、防水部材３０を形成しているが、防水部材３０の構成は、これに限定されるものではない。例えば、合成樹脂を型に流し込んで、断面Ｌ字のハット形状の防水部材３０’（図４参照）を一体形成するようにしてもよい。この場合は、環状のままの防水部材を杭頭の上方から被せるように設置してもよいし、防水部材３０’の一箇所を切断して開いた後に、杭頭に巻き付けて切断した部分を再度結合して設置するようにしてもよい。
【００２９】
防水部材は、その他にも、筒状の筒部と所定幅の平面環状の鍔部とを別部材で形成するようにしてもよい。
【００３０】
また、前記実施形態では、杭１５は鉄筋コンクリート製の円柱形状を呈しているが、これに限定されるものではない。例えば、鋼管や鉄骨製の杭であってもよい。また、形状は角柱形状など他の形状であってもよい。
【符号の説明】
【００３１】
Ｓ      杭周りシート防水構造
１０    防水シート
１６    杭頭
２０    凹部
２１    底面
３０    防水部材
３１    筒部
３２    鍔部
３３    帯状材
【図１】
0005752524.tif 000002
【図２】
0005752524.tif 000003
【図３】
0005752524.tif 000004
【図４】
0005752524.tif 000005
【図５】
0005752524.tif 000006